(57)【特許請求の範囲】
【請求項１】
送信ダイバーシチ方式に於けるアンテナベリフィケーション方法に於いて、
送信側からの送信信号に多重化する共通パイロットチャネルと個別チャネルとにより送信する既知信号を、受信側に於いて受信して、前記共通パイロットチャネルと個別チャネルとに分離し、各チャネルの信号から前記既知信号を除去して求めた共通パイロットチャネルの推定値ｈＣの複素共役ｈＣ＊と、個別チャネルの推定値ｈＤとを基に、パス対応の値Ｖｉを
Ｖｉ＝（ｈＤｈＣ＊）／｜（ｈＤｈＣ＊）｜
により求め、
該パス対応の値Ｖｉの加算値と、前記受信側から送信側に送信するフィードバック情報を基にした定数との条件を判定して、前記個別チャネルのデータに乗算する複素重み係数を求める過程を含む
ことを特徴とするアンテナベリフィケーション方法。
【請求項２】
前記受信側から前記送信側に、前記フィードバック情報を、Ｉ軸情報とＱ軸情報とし且つ相互に１スロット分シフトした２スロットを用いて送信し、前記受信側に於いて、前記フィードバック情報の前記Ｉ軸情報と前記Ｑ軸情報とを基に推定したＩ軸側の尤度情報とＱ軸側の尤度情報とを、それぞれ２スロット分について求めて加算し、前記フィードバック情報を基にした定数との条件を判定して、前記個別チャネルのデータに乗算する複素重み係数を求める過程を含むことを特徴とする請求項１記載のアンテナベリフィケーション方法。
【請求項３】
前記受信側から前記送信側に、前記フィードバック情報を、Ｉ軸情報とＱ軸情報とし且つ相互に１スロット分シフトした２スロットを用いて送信し、前記受信側に於いて、前記フィードバック情報の前記Ｉ軸情報と前記Ｑ軸情報との何れか一方は、位相情報の更新後の１スロット分についての尤度情報を用い、他方は、位相情報の更新前の２スロット分についての尤度情報を加算して、前記フィードバック情報を基にした定数との条件を判定して、前記個別チャネルのデータに乗算する複素重み係数を求める過程を含むことを特徴とする請求項１記載のアンテナベリフィケーション方法。
【請求項４】
送信ダイバーシチ方式を適用した移動通信システムに於けるアンテナベリフィケーション処理装置に於いて、
受信パス対応の共通パイロットチャネルデータを共通パイロットチャネルコードで逆拡散処理するＣＰＩＣＨ逆拡散部と、該ＣＰＩＣＨ逆拡散部の出力信号を共通パイロットのシンボルパターンを用いて平均化する平均化部と、受信パス対応の個別チャネルデータを個別チャネルコードで逆拡散処理するＤＰＣＨ逆拡散部と、該ＤＰＣＨ逆拡散部の出力信号を個別チャネルパイロット部のシンボルパターンを用いて平均化する平均化部と、該平均化部からの個別チャネルパイロット部の平均値と、前記共通パイロットデータの平均値の複素共役とを乗算する第１の乗算器と、該第１の乗算器の出力信号を電力値に変換して逆数を求める手段と、該手段からの逆数と前記第１の乗算器の出力信号とを乗算してパス対応のベリフィケーションの為のパス対応の値Ｖｉを出力する第２の乗算器とを含む構成を有する
ことを特徴とするアンテナベリフィケーション処理装置。
【請求項５】
スロット毎に求めた前記パス対応の値ＶｉのＩ軸成分とＱ軸成分とを２スロット分加算する手段を有することを特徴とする請求項４記載のアンテナベリフィケーション処理装置。
【発明の詳細な説明】
【０００１】
【発明の属する技術分野】
本発明は、送信ダイバーシチ方式を適用した移動通信システムに於けるアンテナベリフィケーション方法及びアンテナベリフィケーション処理装置に関する。
【０００２】
【従来の技術】
図５はＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）システムの基本構成の説明図であり、送信ダイバーシチ方式を適用しない場合の基地局の送信機能と端末局（移動局）の受信機能との概要を示し、５１は基地局のアンテナ、５２は合成部、５３，５４は拡散部、５５はＣＰＩＣＨ（共通パイロットチャネル）データ部、５６はＤＰＣＨ（個別チャネル）データ部、６１は端末局のアンテナ、６２，６３は逆拡散部を示す。
【０００３】
基地局は、ＣＰＩＣＨデータｘ(C) を拡散部５３に於いてＣＰＩＣＨコードにより拡散処理し、又ＤＰＣＨデータｘ(D) を拡散部５４に於いてＤＰＣＨコードにより拡散処理して、合成部５２により合成（直交変調）し、無線周波数に変換し、アンテナ５１から送信する。基地局と端末局との間の伝搬路の複素振幅係数をαとすると、ＣＰＩＣＨデータｘ(C) とＤＰＣＨデータｘ(D) とは同一の複素振幅変動を受けることになり、端末局は、アンテナ６１により受信して直交復調し、逆拡散部６２に於いてＣＰＩＣＨコードで逆拡散処理してデータαｘ(C) 、又逆拡散部６３に於いてＤＰＣＨコードで逆拡散処理してデータαｘ(D) が得られる。
【０００４】
図６はＷ−ＣＤＭＡシステムに於ける受信装置の要部を示すものであり、７１はアンテナ、７２はダウンコンバータ、７３はＡＧＣアンプ、７４はＡＤ変換器（Ａ／Ｄ）、７５はチャネル推定部、７６は逆拡散部、７７は同期検波部を示す。アンテナ７１による無線周波数の受信信号をダウンコンバータ７２によりベースバンドの信号に変換し、ＡＧＣアンプ７３により一定のレベルに増幅し、ＡＤ変換器７４によりディジタル信号に変換し、逆拡散部７６に於いて逆拡散コードを用いて逆拡散処理を行い、又チャネル推定部７５に於いて前述のＣＰＩＣＨデータを基にチャネル推定を行って、同期検波部７７により同期検波してチャネルデータを出力する。
【０００５】
Ｗ−ＣＤＭＡシステムに於いては、送信ダイバーシチ方式を適用する場合が一般的であり、例えば、図７に示すように、基地局に２本の第１，第２のアンテナ＃１，＃２を所定の間隔で配置して、同一のデータを送信するものである。第１のアンテナ＃１から個別チャネルデータｘ１(D) と共通パイロットチャネルデータｘ１(C) とを送信し、第２のアンテナ＃２から個別チャネルデータｘ２(D) と共通パイロットチャネルデータｘ２(C) とを送信する。この場合、基地局の第１のアンテナ＃１と端末局のアンテナとの間の伝搬路による複素振幅係数をα、基地局の第２のアンテナ＃２と端末局のアンテナとの間の伝搬路による複素振幅係数をβとすると、端末局のアンテナにより受信される個別チャネルデータと、共通パイロットチャネルデータとは、αｘ１(D) ＋βｘ２(D) と、αｘ１(C) ＋βｘ２(C) として示すものとなる。
【０００６】
この場合の複素振幅係数α，βが同一のベクトル方向を示す場合は、送信ダイバーシチ方式を適用したことにより受信利得が大きくなるが、例えば、図８のＩ，Ｑ軸により示す複素振幅係数α，βの向きがほぼ反対方向であると、受信利得は零に近くなる。そこで、この複素振幅係数α，βの位相差情報ｗf を基地局にフィードバック情報として通知することにより、基地局は、例えば、第２のアンテナ＃２から送信する個別チャネルデータｘ２(D) に複素重み係数ｗを乗算して送信する。
【０００７】
それにより、端末局で受信した個別チャネルデータｘ２(D) は、ｗ・βが乗算された状態となり、一点鎖線矢印で示すように、複素重み係数αとほぼ同じ向きとなるように変更することができる。従って、第１のアンテナ＃１による個別チャネルデータαｘ１(D) と、第２のアンテナ＃２による個別チャネルデータｗβｘ２(D) とは、同一の象限に存在することになり、合成することにより受信利得を大きくすることができる。この場合、個別チャネルデータに対してのみ複素重み係数ｗを乗算し、共通パイロットチャネルデータに対しては複素重み係数ｗを乗算しないで、基地局の第２のアンテナ＃２から送信する。
【０００８】
前述のように、基地局に於いて複素重み係数ｗを乗算する為に、端末局から位相差情報ｗf をフィードバック情報として基地局へ送信するものであり、例えば、図９に示すように、端末局８２の逆拡散部８３に於いてＣＰＩＣＨコードで逆拡散し、平均化部８４に於いて基地局８１のアンテナ＃１によるパイロットパターンで平均化して、複素振幅係数αを求め、又平均化部８５に於いて基地局８１のアンテナ＃２によるパイロットパターンで平均化して、複素振幅係数βを求めて、位相比較部８６に於いて複素振幅係数α，βの位相差を求め、この位相差情報ｗf をフィードバック情報として基地局８１へ送信する。基地局８１は、フィードバック情報を基に前述の複素重み係数ｗを決定して、個別チャネルデータの位相と振幅とを調整して第２のアンテナ＃２から送信する。なお、共通パイロットチャネルデータは、第１，第２のアンテナ＃１，＃２から同一の位相及び振幅として送信する。
【０００９】
端末局８２は、基地局８１の第１，第２のアンテナ＃１，＃２対応の共通パイロットチャネルデータを検出する必要がある。しかし、送信ダイバーシチ方式に於いては、同一の拡散コードを用いているから、第１，第２のアンテナ＃１，＃２から同一のシンボルパターンの共通パイロットチャネルデータを送信した場合、逆拡散処理のみでは分離できないことになる。そこで、第１，第２のアンテナ＃１，＃２対応の共通パイロットチャネルは、互いに直交するシンボルパターンとする。
【００１０】
例えば、図１０の（Ａ）に示すＣＰＩＣＨスロットフォーマットのように、１スロット（ｓｌｏｔ）の周期で、直交するシンボルパターンとする。又（Ｂ）に示すＤＰＣＨスロットフォーマットのように、データＤａｔａは同一のシンボルパターンであるが、第１のアンテナ＃１対応のパイロットｐｉｌｏｔ１と、第２のアンテナ＃２対応のパイロットｐｉｌｏｔ２とは直交するシンボルパターンとする。
【００１１】
従って、端末局８２の逆拡散部８３に於いてＣＰＩＣＨコードにより逆拡散し、平均化部８４に於いて第１のアンテナ＃１対応のシンボルパターンを乗算して平均化することにより、第１のアンテナ＃１対応のＣＰＩＣＨデータを得ることができ、又平均化部８５に於いて第２のアンテナ＃２対応のシンボルパターンを乗算して平均化することにより、第２のアンテナ＃２対応のＣＰＩＣＨデータを得ることができる。このように、第１，第２のアンテナ＃１，＃２対応のＣＰＩＣＨデータを分離して検出することができるから、それぞれの複素振幅係数α，βを求めることができる。そして、位相比較部８６に於いて位相差ｗf を求めて、フィードバック情報とする。
【００１２】
送信ダイバーシチ方式を適用しない場合、例えば、図１１に示すように、ＤＰＣＨ逆拡散部９１に於いてＤＰＣＨコードにより逆拡散して、乗算器（同期検波部）９４に入力し、又ＣＰＩＣＨ逆拡散部９２に於いてＣＰＩＣＨコードにより逆拡散して、乗算器９４に入力することにより、個別チャネルの逆拡散出力信号に、共通パイロットチャネルのチャネル推定値を乗算して個別チャネルデータを出力することができる。
【００１３】
一方、送信ダイバーシチ方式を適用した場合は、例えば、図１２に示すように、ＤＰＣＨ逆拡散部１０１に於いてＤＰＣＨコードにより逆拡散して乗算器（同期検波部）１０７に入力する。又ＣＰＩＣＨ逆拡散部１０２に於いてＣＰＩＣＨコードにより逆拡散し、平均化部１０３，１０４に於いて第１，第２のアンテナ＃１，＃２対応のパイロットパターンで平均化処理する。平均化部１０４により平均化した第１のアンテナ＃１対応の共通パイロットチャネルデータは、複素振幅係数αを乗算した値に相当し、又平均化部１０５による平均化した第２のアンテナ＃２対応の共通パイロットチャネルデータに、複素振幅係数βを乗算した値に相当する。この場合、α≠βであるから、第２のアンテナ＃２対応の受信共通パイロットチャネルデータに、基地局に於いて第２のアンテナ＃２対応の個別チャネルデータに乗算した複素重み係数ｗに相当する複素重み係数ｗv を乗算して、αと、β×ｗv とのベクトルがほぼ同じくなるようにして、加算器１０６により加算し、乗算器１０７に、複素共役数として入力する。それによって、乗算器１０７から個別チャネルデータを出力することができる。
【００１４】
この場合、基地局では、端末局からのフィードバック情報ｗf を用いて複素重み係数ｗを決定するものであり、伝送誤りを無視できない電波の伝搬環境では、基地局で決定した複素重み係数ｗを、端末局に於いては正確に推定できないものである。そこで、端末局では、基地局へ送信するフィードバック情報ｗf を基に複素重み係数の推定値ｗv を求めるものである。アンテナベリフィケーション（Ａｎｔｅｎｎａ  Ｖｅｒｉｆｉｃａｔｉｏｎ）は、共通パイロットチャネル（ＣＰＩＣＨ）推定値と、個別チャネル（ＤＰＣＨ）推定値とフィードバック情報とから、最も確からしい複素重み係数ｗv を求める処理である。
【００１５】
送信ダイバーシチ方式に於いては、ＳＴＴＤモード、クローズドループモード１，クローズドループモード２等が知られており、例えば、クローズドループモード１に於いては、図１３に示す４種類の複素重み係数が用いられている。即ち、（ａ，ａ），（ａ，−ａ），（−ａ，−ａ），（−ａ，ａ）として示すように、２ビットで表現できるものである。しかし、端末局から基地局へのフィードバック情報には１ビット分のみが割当てられている為、Ｉ軸情報と、Ｑ軸情報とをスロット毎に交互に送信することになる。その場合、２ビット構成のＩ軸情報を２スロットを用いて送信し、同様に、２ビット構成のＱ軸情報を、Ｉ軸情報の２スロットに対して１スロット分シフトした位相関係の２スロットを用いて送信する。
【００１６】
又端末局は、マルチパスを介して基地局からの電波を受信する場合が一般的であり、従って、受信電力が大きい順で所定数のパスについてそれぞれ受信処理して合成する構成が適用されるものであり、その場合のパスｉ＝１〜ｉ＝Ｎについて、ｉ番目のパスのスロット毎の前述の複素重み係数ｗv に相当するアンテナベリフィケーションの為の値Ｖi （チャネル推定値）は、次の（１）式により求めることができる。
【数１】
0003747405.tif 000002
【００１７】
この（１）式は、３ＧＰＰ（３ｒｄ  Ｇｅｎｅｒａｔｉｏｎ  Ｐａｒｔｎｅｒｓｈｉｐ  Ｐｒｏｊｅｃｔ）によるアンテナベリフィケーションについてのＡｎｎｅｘ  Ａの説明内容を基にしたものである。又（１）式のσ2 は、
σ2 ＝（ＩD ）2 ＋γ2 （ＩC ）2 
であり、（ＩD ）2 ，（ＩC ）2 は、それぞれＤＰＣＨデータのパイロット部と、ＣＰＩＣＨパイロットとの分散を示す。
【００１８】
又フィードバック情報をアンテナベリフィケーションの値に反映させる程度を示す定数をχとする。この定数χは、χ＝０によりフィードバック情報を反映させないことを示し、又χ＝∞によりフィードバック情報のみを用いることを示す。そして、スロット番号が偶数の場合に、例えば、フィードバック情報がπであると、Ｔ＝χln（９６／４）＝３．１７８χ、又０であると、Ｔ＝χln（４／９６）＝−３．１７８χとすることができる。なお、（９６／４）は、フィードバック情報が正しく伝送される確率を９６％とし、又伝送誤りの確率を４％とした場合の比を示すもので、Ｗ−ＣＤＭＡシステムに於ける伝送誤り率は４％程度である。
【００１９】
そして、次の（２）式の条件が成立する場合は、ｘ0 ＝０、成立しない場合は、ｘ0 ＝πとする。
【数２】
0003747405.tif 000003
ただし、（ｉ＝１）から（ｉ＝Ｎ）までのパス（ｐａｔｈ）についての前述の値Ｖi の累積値の実数部（Ｒｅ）を示す。
【００２０】
又スロット番号が奇数の場合、フィードバック情報が−π／２であると、Ｔ＝χln（９６／４）＝３．１７８χ、又π／２であると、Ｔ＝χln（４／９６）＝−３．１７８χとする。そして、（３）式の条件が成立する場合、ｘ1 ＝π／２、成立しない場合、ｘ1 ＝−π／２とする。
【数３】
0003747405.tif 000004
ただし、（ｉ＝１）から（ｉ＝Ｎ）までのパス（ｐａｔｈ）についての前述の値Ｖi の累積値の虚数部（Ｉｍ）を示す。
【００２１】
前述のｘ0 ，ｘ1 により、共通パイロットチャネルＣＰＩＣＨの位相φは、次の（４）式に示すように推定することができる。
【数４】
0003747405.tif 000005
【００２２】
前述の（１）式に従った従来のアンテナベリフィケーション処理部は、図１４に示す構成を有するものであり、１１１はＣＰＩＣＨ逆拡散部、１１２はＤＰＣＨ逆拡散部、１１３はアンテナ＃２平均化部、１１４はアンテナ＃２パイロット部平均化部、１１５，１１６は分散算出部、１１７，１１８は電力化処理部、１１９，１２４は逆数部（１／ｘ）、１２０，１２２，１２５は乗算器、１２１は平方根算出部（√）、１２３は加算器を示す。又分散算出部１１５，１１６は、下方に示すように、電力化部１３１，１３４と、平均化部１３２，１３３と、加算器１３５とから構成されている。
【００２３】
ＣＰＩＣＨ逆拡散部１１１によりＣＰＩＣＨコードで逆拡散し、アンテナ＃２平均化部１１３により第２のアンテナ＃２対応のパイロットパターンに従って平均化して、ＣＰＩＣＨデータの平均値ｈC を求め、その複素共役ｈC*を乗算器１２５に入力する。又ＤＰＣＨ逆拡散部１１２によりＤＰＣＨコードで逆拡散し、アンテナ＃２パイロット部平均化部１１４により第２のアンテナ＃２対応のＣＰＣＨパイロットパターンに従って平均化し、ＤＰＣＨパイロット部の平均値ｈD を求めて乗算器１２５に入力する。
【００２４】
又電力比を示すγは、γ＝（ＤＰＣＨ平均電力／ＣＰＩＣＨ平均電力）1/2 により求めるもので、電力化部１１７，１１８によりｈC ，ｈD を電力値とし、ＣＰＩＣＨ平均電力を逆数部１１９により逆数とし、乗算器１２０により前述のγを求める式の括弧内の値を求め、平方根算出部１２１により平方根を求めて、乗算器１２５に入力する。従って、前述の（１）式の分母に相当する値を乗算器１２５に入力したことになる。なお、２1/2 は定数であるから、図示を省略した手段により乗算器１２５に入力して乗算することができる。
【００２５】
又前述の（１）式の分母の雑音電力σ2 は、
σ2 ＝（ＩD ）2 ＋γ2 （ＩC ）2 
として求めることができるもので、従って、分散算出部１１５，１１６と乗算器１２２と加算器１２３とにより求めることができる。分散算出部１１５，１１６は、電力化部１３１に電力値とし、平均化部１３３により平均化した値と、平均化部１３２により平均化し、電力化部１３４による電力値との差分を出力する。又分散出力部１１５の出力に、ＤＰＣＨ平均電力とＣＰＩＣＨ平均電力との電力比を示すγ2 を乗算器１２２に於いて乗算し、加算器１２３に於いて加算することにより、雑音電力σ2 を求め、逆数部１２４により１／σ2 を求めて乗算器１２５に入力する。
【００２６】
図１５は従来例のシミュレーション結果の説明図であり、横軸は（２）式及び（３）式の条件式のＴを求める為の定数χ、縦軸はアンテナベリフィケーションの誤り率とし、各種の電波の伝搬環境や送信パワー等を想定したｃａｓｅ１〜ｃａｓｅ６のシミュレーション結果を示す。この場合、定数χの値を０から次第に増加するに従って誤り率が小さくなり、１．５〜２近傍に於いて最小となる。それより増加すると、図示を省略しているが、誤り率が大きくなる。従って、シミュレーション結果から、フィードバック情報を反映させる程度を示す定数χの最適値は、前述の従来例に於いては、１．５〜２近傍の値であることが判る。
【００２７】
【発明が解決しようとする課題】
送信ダイバーシチ方式を適用した従来例に於けるアンテナベリフィケーションは、前述の（１）式に従った構成及び処理を実行するものであり、従って、アンテナベリフィケーションの為の構成は、図１４に示すように、回路規模が大きくなる問題があった。又プロセッサの演算機能により処理する場合でも、ステップ数が多くなる問題があった。
本発明は、送信ダイバーシチ方式に於けるアンテナベリフィケーション処理を簡単化することを目的とする。
【００２８】
【課題を解決するための手段】
本発明のアンテナベリフィケーション方法は、図１を参照して説明すると、第１，第２のアンテナ＃１，＃２を有する基地局１を用いた送信ダイバーシチ方式に於けるアンテナベリフィケーション方法であって、基地局１を送信側、端末局を受信側として、送信側からの送信信号に多重化する共通パイロットチャネルと個別チャネルとにより送信する既知信号を、受信側に於いて受信して、前記共通パイロットチャネルと個別チャネルとに分離し、各チャネルの信号から前記既知信号を除去して求めた共通パイロットチャネルの推定値ｈＣの複素共役ｈＣ＊と、個別チャネルの推定値ｈＤとを基に、アンテナベリフィケーション処理部６によりパス対応の値Ｖｉを
Ｖｉ＝（ｈＤｈＣ＊）／｜（ｈＤｈＣ＊）｜
により求め、このパス対応の値Ｖｉの加算値と、受信側から送信側に送信するフィードバック情報ｗｆを基にした定数との条件を判定して、個別チャネルのデータに乗算する複素重み係数を求める過程を含むものである。
【００２９】
又受信側から送信側に、フィードバック情報ｗf を、Ｉ軸情報とＱ軸情報とし且つ相互に１スロット分シフトした２スロットを用いて送信し、受信側に於いて、フィードバック情報ｗf のＩ軸情報とＱ軸情報とを基に推定したＩ軸側の尤度情報とＱ軸側の尤度情報とを、それぞれ２スロット分について求めて加算し、フィードバック情報ｗf を基にした定数との条件を判定して、個別チャネルのデータに乗算する複素重み係数を求める過程を含むものである。又フィードバック情報ｗf のＩ軸情報とＱ軸情報との何れか一方は、位相情報の更新後の１スロット分についての尤度情報を用い、他方は、位相情報の更新前の２スロット分についての尤度情報を加算して、フィードバック情報ｗf を基にした定数との条件を判定して、個別チャネルのデータに乗算する複素重み係数を求める過程を含むことができる。
【００３０】
又本発明のアンテナベリフィケーション処理装置は、受信パス対応の共通パイロットチャネルデータを共通パイロットチャネルコードで逆拡散処理するＣＰＩＣＨ逆拡散部と、このＣＰＩＣＨ逆拡散部の出力信号を共通パイロットのシンボルパターンを用いて平均化する平均化部と、受信パス対応の個別チャネルデータを個別チャネルコードで逆拡散処理するＤＰＣＨ逆拡散部と、このＤＰＣＨ逆拡散部の出力信号を個別チャネルパイロット部のシンボルパターンを用いて平均化する平均化部と、この平均化部からの個別チャネルパイロット部の平均値と、共通パイロットデータの平均値の複素共役とを乗算する第１の乗算器と、この第１の乗算器の出力信号を電力値に変換して逆数を求める手段と、この手段からの逆数と第１の乗算器の出力信号とを乗算してパス対応のベリフィケーションの為のパス対応の値Ｖi を出力する第２の乗算器とを含む構成を有するものである。又スロット毎に求めたパス対応の値Ｖi のＩ軸成分とＱ軸成分とを２スロット分加算する手段を含むことができる。
【００３１】
【発明の実施の形態】
図１は本発明の実施の態様の要部説明図であり、１は送信側としての基地局、＃１，＃２は基地局の第１，第２のアンテナ、２は携帯電話機等の受信側としての端末局、３は端末局のアンテナ、４は送受信部、５は受信処理部、６はアンテナベリフィケーション処理部、７は送信処理部、８は送受信制御部を示す。
【００３２】
基地局１は、第１のアンテナ＃１から、個別チャネルデータｘ１(D) と共通パイロットチャネルデータｘ１(C) とを送信し、端末局２に対しては、第２のアンテナ＃２から、その端末局２からのフィードバック情報ｗf を基に決定した複素重み係数ｗを乗算した個別チャネルデータｘ２(D) と、この複素重み係数ｗを乗算しない共通パイロットチャネルデータｘ２(C) とを送信する。この場合、基地局１の第１のアンテナ＃１と端末局２のアンテナ３との間の伝搬路による複素振幅係数をα、基地局１の第２のアンテナ＃２と端末局２のアンテナ３との間の伝搬路による複素振幅係数をβとすると、端末局２のアンテナ３により受信される個別チャネルデータと、共通パイロットチャネルデータとは、αｘ１(D) ＋βｘ２(D) と、αｘ１(C) ＋βｘ２(C) として受信される。
【００３３】
この端末局２では、アンテナ３を介して送受信部４により受信した信号を、受信処理部５に於いて処理する。この受信処理部５は、複数のパス対応のフィンガー部，サーチャ部，ＲＡＫＥ合成部等を含み、前述のように、基地局１の第１，第２のアンテナ＃１，＃２対応のＣＰＩＣＨデータを分離して検出し、それぞれの複素振幅係数α，βを求めて、それらの位相差情報ｗf をフィードバック情報とし、送受信制御部８の制御に従って、送信処理部７から送受信部４を介してアンテナ３から基地局１へ送信する。
【００３４】
又端末局２に於いては、アンテナベリフィケーション処理部６により、基地局１の第２のアンテナ＃２から複素重み係数ｗを乗算されたＤＰＣＨデータに対する複素重み係数の推定値を求めるアンテナベリフィケーション処理を行うものであり、このアンテナベリフィケーション処理部６は、次の（５）式に示す構成を有するものである。
【数５】
0003747405.tif 000006
【００３５】
即ち、σやγを含まない条件式に従った構成とすることにより、回路規模の縮小並びに処理ステップの簡単化を図ることができるもので、前述の（１）式から、前述の（５）式は次のようにして導出できる。先ず、（１）式を（６）式のように変形する。
【数６】
0003747405.tif 000007
【００３６】
この（６）式の右辺の第１項を前述の（７）式とすると、γがｈD とｈC との電力比を示すから、Ａの平均値は前述の（８）式で表すことができる。このＡの平均値を示す（８）式は、雑音電力の平均値とＤＰＣＨパイロット部の平均値との比、即ち、Ｓ／Ｎを示すことになり、伝搬路を介した通信の動作点に於いてはＳ／Ｎはほぼ一定になるから、（７）式のＡの平均値を示す（８）式は、ほぼ定数と見做すことができる。従って、（６）式のように、アンテナベリフィケーションの為のｉ番目のパス対応の値Ｖi （チャネル推定値）を正規化した値として用いることができる。
【００３７】
図２は、本発明の実施の形態の要部説明図であり、図１のアンテナベリフィケーション処理部６の構成を示し、１１はＣＰＩＣＨ逆拡散部、１２はＤＰＣＨ逆拡散部、１３はアンテナ＃２平均化部、１４はアンテナ＃２パイロット部平均化部、１５は第１の乗算器、１６は電力化部、１７は平方根処理部（√）、１８は逆数部（１／ｘ）、１９は第２の乗算器を示す。
【００３８】
ＣＰＩＣＨ逆拡散部１１によりＣＰＩＣＨコードで逆拡散し、アンテナ＃２平均化部１３により、基地局の第２のアンテナ＃２対応のパイロットのシンボルパターンに従って平均化して、ＣＰＩＣＨデータの平均値ｈC を求め、その複素共役ｈC*を第１の乗算器１５に入力する。又ＤＰＣＨ逆拡散部１２によりＤＰＣＨコードで逆拡散し、アンテナ＃２パイロット部平均化部１４により、基地局の第２のアンテナ＃２対応のＤＰＣＨパイロットのシンボルパターンに従って平均化し、ＤＰＣＨパイロット部の平均値ｈD を求めて第１の乗算器１５に入力する。即ち、（５）式の分子の演算機能を示すものとなる。
【００３９】
又第１の乗算器１５の出力信号ｈD ｈC*を電力化部１６に入力して電力値とし、平方根算出部１７により平方根を求め、逆数部１８により逆数として第２の乗算器１９に入力する。即ち、第１の乗算器１５の出力を基にした（５）式の分母の算出手段を示すものとなる。従って、乗算器１９から（５）式のｉ番目のパス対応のアンテナベリフィケーションの為の値Ｖi を求めることができる。
【００４０】
前述のように、従来例の図１４に示す構成と、本発明の実施の形態の図２に示す構成とを比較すると明らかなように、本発明によれば、γやσを含まない処理でパス対応の値Ｖi を求めることができるから、回路規模を著しく縮小することが可能となる。
【００４１】
図３は本発明の実施の形態に於けるシミュレーション結果の説明図であり、横軸は定数χ、縦軸はアンテナベリフィケーションの誤り率として、各種の電波の伝搬環境や送信パワー等を想定したｃａｓｅ１〜ｃａｓｅ６のシミュレーション結果を示す。図１５に示す従来例のシミュレーション結果と比較して、定数χの値が小さいのは、前述の（５）式に示すように正規化を行ったことによるものであり、フィードバック情報を反映させる程度を示す定数χは、ほぼ０．１近傍で誤り率が最小となる。この定数χを用いて前述の（２）式と（３）式との条件式に従って、共通パイロットチャネルの位相を判定することができる。
【００４２】
又前述のように、クローズドループモード１に於いては、端末局から基地局へ送信するフィードバック情報に対して、１ビット分のみが割当てれらているから、端末局は、複素重み係数のＩ軸情報とＱ軸情報とを、１スロット分シフトした状態で、２スロットを用いて送信する。従って、複素重み係数は、Ｉ軸側とＱ軸側とが交互に更新されることになり、Ｉ軸側又はＱ軸側のみに着目すると、２スロットおきに変化することになる。そこで、各スロットの復調に用いる複素重み係数ｗv を求める時に、その前後のスロットも含めて、複素重み係数ｗv の推定精度を向上することができる。
【００４３】
例えば、図４の（Ａ）に示すように、Ｉ，Ｑ軸対応のフィードバック情報は、それぞれ２スロット分を用いて送信するから、それぞれ矢印で示すタイミングが位相情報の更新タイミングを示す。そして、スロット３２についてのアンテナベリフィケーション処理を行う為の値Ｖi 2 を求める場合、その前後のスロット３１，３３のアンテナベリフィケーション処理を行う為の値Ｖi 1 ，Ｖi 3 も用いるものである。即ち、Ｉ軸側の更新タイミング後のスロット３１，３２と、Ｑ軸側の更新タイミング後のスロット３２，３３との情報を用いる。
【００４４】
即ち、スロット３２に於けるＩ軸側の尤度情報は、前のスロット３１の尤度情報とスロット３２の尤度情報との和のＲｅ（Ｖi 1 ＋Ｖi 2 ）、Ｑ軸側の尤度情報は、スロット３２の尤度情報と次のスロット３３の尤度情報との和のＩｍ（Ｖi 2 ＋Ｖi 3 ）とすることができる。なお、記号１，２，３は、指数ではなく、スロット３１，３２，３３対応のスロット番号を示す。又スロット３３に於いては、Ｉ軸側の尤度情報を、Ｒｅ（Ｖi 2 ＋Ｖi 3 ）、Ｑ軸側の尤度情報を、Ｉｍ（Ｖi 3 ＋Ｖi 4 ）とすることができる。このような処理により、アンテナベリフィケーション処理の精度を向上することができる。なお、このような処理手段は、例えば、図２に於ける値Ｖi を３スロット分蓄積する手段と、加算手段とにより容易に実現することができる。
【００４５】
伝搬路の雑音がガウス雑音であると仮定すると、ＤＰＣＨデータはガウス分布に従った確率で変動する。従って、ＤＰＣＨデータの複素重み係数が、例えば、図１３に於ける複素重み係数（ａ，ａ），（ａ，−ａ），（−ａ，−ａ），（−ａ，ａ）の何れになるかを示す尤度は、その図１３の４点からのガウス分布に比例した値となる。このような点から、注目スロットの前後のスロットの推定値を用いることにより、推定精度を向上できるものである。その場合、例えば、前述の（２）式による条件式は、次の（９）式により表すことができる。
【数７】
0003747405.tif 000008
同様に、（３）式のＩｍ（Ｖi ）は、Ｉｍ（Ｖi 2 ＋Ｖi 3 ）とした条件式とすることができる。
【００４６】
又前述の注目スロット３２の次のスロット３３の情報を待つことになり、その場合の遅延を許容できない時は、図４の（Ｂ）に示すように、例えば、Ｑ軸側の矢印で示す更新タイミング後の注目スロット４２の前のスロット４１のＩ軸側の情報を用いることができる。この場合、Ｑ軸側の情報は、位相情報の更新タイミングによって更新されるから、Ｉ，Ｑ軸側の尤度情報は、それぞれＲｅ（Ｖi 1 ＋Ｖi 2 ）、Ｉｍ（Ｖi 2 ）として表すことができる。なお、次のスロットに於いては、Ｒｅ（Ｖi 2 ）、Ｉｍ（Ｖi 2 ＋Ｖi 3 ）とする。
【００４７】
【発明の効果】
以上説明したように、本発明は、送信ダイバーシチ方式を適用した移動通信システムに於いて、基地局１等の第１，第２のアンテナ＃１，＃２からの送信信号を受信する端末局２等の受信側は、複数のパスを介して受信するから、パス対応のアンテナベリフィケーションの為の値Ｖi を、共通パイロットチャネルのパイロットデータの平均値と、個別チャネルのパイロット部の平均値とを用いて求めるもので、従来例のように、電力比γや雑音電力σ等を用いるものではないから、回路規模を縮小し、又処理ステップを削減することが可能となる。又複数スロットについての尤度情報を加算して前述の値Ｖi を求めることにより、アンテナベリフィケーションの精度を更に向上することができる。
【図面の簡単な説明】
【図１】本発明の実施の形態の原理説明図である。
【図２】本発明の実施の形態の要部説明図である。
【図３】本発明の実施の形態に於けるシミュレーション結果の説明図である。
【図４】アンテナベリフィケーション処理に用いるスロットの説明図である。
【図５】Ｗ−ＣＤＭＡシステムの基本構成の説明図である。
【図６】受信装置の要部説明図である。
【図７】送信ダイバーシチの説明図である。
【図８】受信信号ベクトルの説明図である。
【図９】フィードバック情報経路の説明図である。
【図１０】スロットフォーマットの説明図である。
【図１１】個別チャネル（ＤＰＣＨ）の復調手段の説明図である。
【図１２】送信ダイバーシチ適用時の個別チャネル（ＤＰＣＨ）の復調手段の説明図である。
【図１３】重み付けの説明図である。
【図１４】アンテナベリフィケーション処理部の説明図である。
【図１５】従来例のシミュレーション結果の説明図である。
【符号の説明】
１  基地局
＃１，＃２  第１，第２のアンテナ
２  端末局
３  アンテナ
４  送受信部
５  受信処理部
６  アンテナベリフィケーション処理部
７  送信処理部
８  送受信制御部
【図１】
0003747405.tif 000009
【図２】
0003747405.tif 000010
【図３】
0003747405.tif 000011
【図４】
0003747405.tif 000012
【図５】
0003747405.tif 000013
【図６】
0003747405.tif 000014
【図７】
0003747405.tif 000015
【図８】
0003747405.tif 000016
【図９】
0003747405.tif 000017
【図１０】
0003747405.tif 000018
【図１１】
0003747405.tif 000019
【図１２】
0003747405.tif 000020
【図１３】
0003747405.tif 000021
【図１４】
0003747405.tif 000022
【図１５】
0003747405.tif 000023